(57)【特許請求の範囲】
【請求項１】
開口した近位端部から開口した遠位端部まで延びる第１のハウジングと、
第１のハウジング内に延在し、第１のハウジング内で該第１のハウジングの開口した近位端部から所定距離に設けられた１つまたは複数の通路を有する中空の管形状の第２のハウジングと、を備えており、
第２のハウジングは、第１のハウジングの開口した近位端部に隣接して配置された閉じた近位端部を有するとともに、第１のハウジング内で該第１のハウジングと同軸に配置された近位部分を有し、これにより、空気が前記近位部分の外側面と第１のハウジングの内側面との間を通って第１のハウジングを通過するように軸方向に流れることが可能となっていることを特徴とする粒子分離器。
【請求項２】
第２のハウジングは、複数の通路を有し、これらの複数の通路は、第１のハウジング内で該第１のハウジングの開口した近位端部から所定距離に設けられていることを特徴とする請求項１記載の粒子分離器。
【請求項３】
第１のハウジングの開口した近位端部はベルマウスを含み、第１のハウジングは中空の管形状を有することを特徴とする請求項１記載の粒子分離器。
【請求項４】
前記１つまたは複数の通路は、第１のハウジング内に配置された第２のハウジングの側壁を貫通していることを特徴とする請求項１記載の粒子分離器。
【請求項５】
前記１つまたは複数の通路は、空気流が該１つまたは複数の通路を通過して第２のハウジングに入るためには方向転換が必要となるように、第１のハウジングを通過する空気流の方向に対して実質的に９０°に設けられていることを特徴とする請求項４記載の粒子分離器。
【請求項６】
前記１つまたは複数の通路は、第２のハウジングに沿って互いに離間して設けられた複数のスロットを含み、各々のスロットは、約０．０５〜０．１０インチ（０．１〜０．２ｃｍ）の幅を有することを特徴とする請求項１記載の粒子分離器。
【請求項７】
各々のスロットは、第２のハウジングの周辺部に沿って異なる位置で終端となるように互いにオフセットされていることを特徴とする請求項６記載の粒子分離器。
【請求項８】
第２のハウジングの側面が、第１のハウジングの側壁に実質的に平行に延びており、前記１つまたは複数の通路は、第２のハウジングの側面を貫通していることを特徴とする請求項１記載の粒子分離器。
【請求項９】
第２のハウジングは、少なくとも１つの湾曲部を有するとともに、第１のハウジングの側壁を通って延びていることを特徴とする請求項８記載の粒子分離器。
【請求項１０】
ラム空気ファン用の冷却アセンブリであって、
ラム空気ファンは、動作時に熱を発生する１つまたは複数の内部部品を有し、
ラム空気ファンの部品と流体的に連通するシュラウド付き粒子分離器を含み、このシュラウド付き粒子分離器は、開口した近位端部を有する第１のハウジングと、第１のハウジング内に配置された部分を有する中空の管形状の第２のハウジングと、を備え、第２のハウジングは、１つまたは複数の通路を有し、これらの通路は、第１のハウジング内で該第１のハウジングの開口した近位端部から所定距離に設けられており、第２のハウジングは、第１のハウジングの開口した近位端部に隣接して配置された閉じた近位端部を有するとともに、第１のハウジング内で該第１のハウジングと同軸に配置された近位部分を有し、これにより、空気が前記近位部分の外側面と第１のハウジングの内側面との間を通って第１のハウジングを通過するように軸方向に流れることが可能となっていることを特徴とするラム空気ファン用の冷却アセンブリ。
【請求項１１】
第１のハウジングの開口した近位端部はベルマウスを含み、第１のハウジングは中空の管形状を有することを特徴とする請求項１０記載のラム空気ファン用の冷却アセンブリ。
【請求項１２】
前記１つまたは複数の通路は、第１のハウジング内に配置された第２のハウジングの側壁を貫通していることを特徴とする請求項１０記載のラム空気ファン用の冷却アセンブリ。
【請求項１３】
前記１つまたは複数の通路は、空気流が該１つまたは複数の通路を通過して第２のハウジングに入るためには方向転換が必要となるように、第１のハウジングを通過する空気流の方向に対して実質的に９０°に設けられていることを特徴とする請求項１０記載のラム空気ファン用の冷却アセンブリ。
【請求項１４】
第２のハウジングは、複数の通路を有し、これらの複数の通路は、第１のハウジング内で該第１のハウジングの開口した近位端部から所定距離に設けられていることを特徴とする請求項１０記載のラム空気ファン用の冷却アセンブリ。
【請求項１５】
第２のハウジングの側面が、第１のハウジングの側壁に実質的に平行に延びており、前記１つまたは複数の通路は、第２のハウジングの側面を貫通していることを特徴とする請求項１０記載のラム空気ファン用の冷却アセンブリ。
【請求項１６】
動作時に熱を発生する１つまたは複数の部品と、
前記１つまたは複数の部品と流体的に連通するシュラウド付き粒子分離器と、を有し、このシュラウド付き粒子分離器は、開口した近位端部を有する第１のハウジングと、第１のハウジング内に配置された部分を有する中空の管形状の第２のハウジングと、を備え、第２のハウジングは、１つまたは複数の通路を有し、これらの通路は、第１のハウジング内で該第１のハウジングの開口した近位端部から所定距離に設けられており、第２のハウジングは、第１のハウジングの開口した近位端部に隣接して配置された閉じた近位端部を有するとともに、第１のハウジング内で該第１のハウジングと同軸に配置された近位部分を有し、これにより、空気が前記近位部分の外側面と第１のハウジングの内側面との間を通って第１のハウジングを通過するように軸方向に流れることが可能となっていることを特徴とする環境制御システム。
【請求項１７】
前記１つまたは複数の通路は、空気流が該１つまたは複数の通路を通過して第２のハウジングに入るためには方向転換が必要となるように、第１のハウジングを通過する空気流の方向に対して実質的に９０°に設けられていることを特徴とする請求項１６記載の環境制御システム。
【請求項１８】
第２のハウジングは、複数の通路を有し、これらの複数の通路は、第１のハウジング内で該第１のハウジングの開口した近位端部から所定距離に設けられていることを特徴とする請求項１６記載の環境制御システム。
【請求項１９】
第２のハウジングの側面が、第１のハウジングの側壁に実質的に平行に延びており、前記１つまたは複数の通路は、第２のハウジングの側面を貫通していることを特徴とする請求項１６記載の環境制御システム。
【発明の詳細な説明】
【技術分野】
【０００１】
本発明は、粒子分離器に関し、特に、航空機の環境制御システムのためのシュラウド付き粒子分離器に関する。
【背景技術】
【０００２】
航空機に搭載された環境制御システム（ＥＣＳ）は、航空機の機室に調和空気を供給する。調和空気は、航空機の乗員の快適さのために所望の温度、圧力および湿度を有する。飛行高度における大気の圧縮は、結果として得られる圧縮空気を加熱するので、大気温度がかなり低い場合でも圧縮空気の冷却が必要となる。よって、ほとんどの状況では、空気を航空機の機室に供給する前にＥＣＳによって空気から熱を除去しなければならない。空気から熱が除去されるに従って、この熱は、ＥＣＳに流入してＥＣＳ内の熱交換器を通って流れる別の空気流に放散され、この空気流は過剰な熱とともに航空機から放出される。航空機が十分な速度で移動している条件では、航空機に流入する空気の圧力は、過剰な熱を除去するのに十分な空気をＥＣＳおよび熱交換器に通過させる。
【０００３】
ラム空気は通常の飛行条件では良好に機能するが、比較的低速の飛行や航空機が地上にあるときは、ラム空気圧力はＥＣＳから十分に熱を除去するために熱交換器を通過する十分な空気流を供給するには低すぎる。このような条件では、ＥＣＳ熱交換器を通る必要な空気流を供給するためにＥＣＳ内のラム空気ファンが使用される。
【０００４】
典型的に、ラム空気ファンは、ファンの駆動に電気モータを使用する。これは、固定子によって駆動される回転子アセンブリによって達成される。固定子は、回転子アセンブリの駆動に使用される磁界の副生成物としてかなりの量の熱を発生させる。その上、回転子アセンブリを支持する軸受が典型的に熱を発生し、冷却を要する。これらの熱源により、電気モータは、外気などの供給源によって冷却する必要がある。よって、ＥＣＳのラム空気ファンの上流または下流から１つまたは複数の流路に沿ってラム空気ファンの固定子および軸受に空気が供給される。
【発明の概要】
【発明が解決しようとする課題】
【０００５】
冷却空気の集合入口は、ＥＣＳ（および航空機）内のラム空気ファンに隣接する位置により、動作時に大量の（ほこりなどの）粒子にさらされる。よって、固定子および軸受に到達する粒子の量を減少させるために、固定子および軸受用の冷却空気を収集する１つまたは複数の粒子分離器を使用することが望ましい。残念ながら、逆Ｊ字管粒子分離器などの粒子分離器は、ラム空気ファンおよびその周囲の領域では得られない清浄な高速気流を要するので、逆Ｊ字管は冷却空気から粒子を除去する効果がない。よって、逆Ｊ字管などの粒子分離器は、ラム空気ファンの内部部品に粒子を含む冷却空気を供給することで、目詰まりなどの問題を生じたり所望でない方法で動作するおそれがある。
【課題を解決するための手段】
【０００６】
粒子分離器は、第１のハウジングおよび第２のハウジングを含む。第１のハウジングは、開口した近位端部から開口した遠位端部まで軸に沿って延びる。第２のハウジングは、第１のハウジングの開口した近位端部に隣接して配置された閉じた近位端部を有する。第２のハウジングは、閉じた近位端部から第１のハウジングの軸と実質的に同じ軸に沿って第１のハウジング内に延びる。第２のハウジングは、第２のハウジングの閉じた近位端部から所定距離に配置された１つまたは複数の通路を有する。さらに、１つまたは複数の通路は、第１のハウジング内で該第１のハウジングの開口した近位端部から所定距離に配置されている。
【０００７】
他の形態では、ラム空気ファン用の冷却アセンブリは、動作時に熱を発生するラム空気ファンの内部部品と、シュラウド付き粒子分離器と、を含む。シュラウド付き粒子分離器は、ラム空気ファンの部品と流体的に連通するように設けられている。シュラウド付き粒子分離器は、開口した近位端部を有する第１のハウジングと、第２のハウジングと、を備える。第２のハウジングは、第１のハウジング内に配置された部分を有する。第２のハウジングは、１つまたは複数の通路を有する。これらの通路は、第１のハウジング内で該第１のハウジングの開口した近位端部から所定距離に設けられている。
【０００８】
また他の形態では、環境制御システムが、動作時に熱を発生させる１つまたは複数の部品と、シュラウド付き粒子分離器と、を含む。シュラウド付き粒子分離器は、部品と流体的に連通するように設けられている。シュラウド付き粒子分離器は、開口した近位端部を有する第１のハウジングと、第２のハウジングと、を備える。第２のハウジングは、第１のハウジング内に配置された部分を有する。第２のハウジングは、１つまたは複数の通路を有する。これらの通路は、第１のハウジング内で該第１のハウジングの開口した近位端部から所定距離に設けられている。
【図面の簡単な説明】
【０００９】
【図１】ラム空気ファンに冷却空気流を供給するシュラウド付き粒子分離器の断面図である。
【図２Ａ】図１のシュラウド付き粒子分離器の断面図である。
【図２Ｂ】図２Ａのシュラウド付き粒子分離器の透視図である。
【図３】内側ハウジングに設けられた複数の通路を示す、シュラウド付き粒子分離器の内側ハウジングの近位端部の側面図である。
【発明を実施するための形態】
【００１０】
本発明は、環境制御システム（ＥＣＳ）のためのシュラウド付き粒子分離器に関し、特に、ラム空気ファンのモータ固定子および軸受の冷却に使用されるシュラウド付き粒子分離器に関する。シュラウド付き粒子分離器は、ラム空気ファンの近傍を流れる乱気流からほこりなどの粒子を効果的に分離し、実質的に清浄な冷却空気流をモータ固定子およびジャーナル軸受に供給する。特に、シュラウド付き粒子分離器の外側ハウジングが、粒子を含む空気流が内側ハウジングの冷却通路に流れる前に、内側ハウジングの外面に対して空気流を整流する。冷却通路に到達したときには、粒子を含まない比較的軽い空気流の部分が、内側ハウジングの外面に対して実質的に９０°方向転換して冷却通路に流入する十分に低い運動量を有する。比較的大きい粒子は、直線状の経路から方向転換して通路に入るには運動量が大きすぎる。冷却通路は、空気を引き込む一方で、ほこりなどの粒子が内側ハウジングに入らずに外側ハウジングを通過するように、動作条件および用途のパラメータに対応する寸法を有する。内側ハウジングに入ると、清浄な空気流は、内側ハウジング内の複数の湾曲部を通過してから、ダクト、ホースまたは同様の通路によってラム空気ファンに連通する。清浄な冷却空気流は、ラム空気ファン内で従来の手段によってモータ固定子および軸受に供給される。シュラウド付き粒子分離器は、ダクト構造の乱流領域において粒子を含む空気流内に配置できるとともに、目詰まりなどの副次的な負の作用を引き起こしたり粒子を含む空気を望ましくない位置に導かずに不要な粒子を分離できるので有利である。
【００１１】
図１は、ラム空気ファン１２、ケーシング１４およびシュラウド付き粒子分離器１６を含む環境制御ユニット（ＥＣＳ）１０の一部を示している。図１は、ファン外側ハウジング１８、軸受ハウジング２０、内側ハウジング２２、ファンロータ２４、モータ回転子２６、モータ固定子２８、シャフト３０、スラストプレート３２、スラスト軸受３３、ジャーナル軸受３４、端子箱３６、冷却口３８、および冷却管４０を含むラム空気ファン１２の断面を示している。ケーシング１４は、ラム出口ヘッダ４２を含む。シュラウド付き粒子分離器１６は、外側ハウジング４４と内側ハウジング４６を含む。内側ハウジング４６は、通路４８を含む。
【００１２】
ファン入口は、ラム空気圧力が十分でないときにラム空気ファン１２によって動かされる空気流の供給源である。バイパス入口は、ラム空気圧力が十分なときにラム空気ファン１２を通過する空気流の供給源である。バイパス入口およびファン入口からの空気流は、ファン出口を通ってラム空気ファン１０から出てケーシング１４に入る。
【００１３】
図１に示すように、ラム空気ファン１０は、米国特許第７３９４１７４号および第７７５７５０２号に開示された構成を有し、これらの特許は参照としてここに含まれる。よって、ラム空気ファン１０の構成および動作は詳細に説明しない。ファン外側ハウジング１８は、軸受ハウジング２０と内側ハウジング２２を囲む。（ファンケースを含む）ファン外側ハウジング１８は、ファンストラットにおいて内側ハウジング２２に取り付けられている。軸受ハウジング２０は、ボルトによって内側ハウジング２２に取り付けられている。ファンロータ２４は、中心線ＣLに対して径方向で、シャフト３０から軸受ハウジング２０および内側ハウジング２２の前方における隣接するファン外側ハウジング１８まで延在する。特に、ファンロータ２４は、タイロッド（符号なし）などの従来の手段によってシャフト３０に取り付けられている。
【００１４】
モータ回転子２６とモータ固定子２８は、軸受ハウジング２０および内側ハウジング２２内に配置されている。図示の実施例では、モータ回転子２６は、モータ固定子２８内に収容され、シャフト３０に連結されている。モータ回転子２８とシャフト３０は、合わせてラム空気ファン１０の回転軸を画定する。
【００１５】
スラストプレート３２および内側ハウジング２２は、シャフト３０のフランジ延長部を収容し、スラスト軸受３３は、シャフト３０のフランジ延長部とスラストプレート３２の間、およびシャフト３０のフランジ様部分と内側ハウジング２２の間に配置されている。ジャーナル軸受３４は、スラストプレート３２の後方に配置されており、スラスト軸受３３は、シャフト３０と軸受ハウジング２０の間に配置されている。さらに、ジャーナル軸受３４は、シャフト３０の後方部分に沿って配置されている。
【００１６】
端子箱３６は、外側バウジング１８内に配置されており、電線などの電子機器が電線移送管（図示省略）によって内側ハウジング２２に配線される。外側ハウジング１８は、冷却管４０を介して内側ハウジング２２と連通する冷却口３８も含む。図１に矢印で示されているように、冷却空気はシュラウド付き粒子分離器１６で分離され、シュラウド付き粒子分離器１６から入口３８、管４０および追加のダクト（図示省略）を通って内側ハウジング２２に流れる。
【００１７】
図１に示す実施例では、シュラウド付き粒子分離器１６は、ケーシング１４のラム出口ヘッダ４２部分に隣接して（空気流の方向によって定められる）ラム空気ファン１０の下流に配置されている。空気流の方向およびラム出口ヘッダ４２に対するシュラウド付き粒子分離器１６の相対的な配置は変更可能であり、空気流の量および速度などの動作基準、予測される粒子含有量、ラム空気ファンの動作速度、高度などによって必然的に決まる。市販の流体力学計算処理ソフトが、与えられた動作基準に従って、形状寸法やシュラウド付き粒子分離器１６の配置などの基準の最適化を補助するのに利用可能である。
【００１８】
シュラウド付き粒子分離器１６は、ベルマウス状の近位端部を有するスリーブまたは管のような形状の外側ハウジング４４を含む。内側ハウジング４６は、外側ハウジング４４内に配置される。図１に示す実施例では、内側ハウジング４６は、管または導管の形状を有し、外側ハウジング４４のベルマウスに隣接して閉じた近位端部を有する。内側ハウジング４６の近位端部から所定距離において、通路４８が内側ハウジング４６を貫通する。後述するように、通路４８は、実質的に清浄な空気流のみが冷却のために内側ハウジング４６に流入するように、外側ハウジング４４を通過する空気流から粒子を受け入れないような寸法および位置に設けられている。
【００１９】
動作時には、ラム空気ファン１２は、航空機に搭載されたＥＣＳ１０に設置され、ファン入口、バイパス入口およびファン出口に接続される。航空機が、ＥＣＳ１０の冷却の必要性を満たす十分なラム空気圧力を発生する十分な速さで移動しないときに、モータ固定子２８を励磁するためにモータ固定子２８に電気が供給される。これにより、モータ回転子２６がラム空気ファン１２の回転軸を中心に回転し、連結されたシャフト３０およびファンロータ２４を回転させる。ジャーナル軸受３４およびスラスト軸受３３が、回転部品のための低摩擦支持部を提供する。ファンロータ２４は、回転するに従ってファン入口からの空気をファン外側ハウジング１８を通ってファン出口に移動させる。
【００２０】
軸受ハウジング２０および内側ハウジング２２内の部品は、スラスト軸受３３、ジャーナル軸受３４、モータ固定子２８およびモータ回転子２６を含む。これらの部品は、かなりの熱を発生し、動作時に冷却する必要がある。上述および図１に示したように、冷却空気が、スラスト軸受３３、ジャーナル軸受３４、モータ固定子２８およびモータ回転子２６を通過するように供給され、冷却を達成する。特に、冷却空気は、シュラウド付き粒子分離器１６から入口３８、管４０および追加のダクトや通路（図示省略）を通して内側ハウジング２２に流れる。冷却空気は、スラスト軸受３３、ジャーナル軸受３４、モータ固定子２８およびモータ回転子２６を通過した後、参照としてここに含まれる米国特許第７３４２３３２号に詳細に説明された当該技術で周知の方法で内側ハウジング２２から出る。
【００２１】
図２Ａは、シュラウド付き粒子分離器１６の断面を示している。図２Ｂは、シュラウド付き粒子分離器１６の透視図である。シュラウド付き粒子分離器１６は、外側ハウジング４４と内側ハウジング４６に加えて、支持部材５０を含む。外側ハウジング４４は、近位端部５２と遠位端部５４を含む。内側ハウジング４６は、通路４８に加えて、近位端部５６、遠位端部５８、第１の部分６０、第１の湾曲部６２、第２の部分６４、第２の湾曲部６６、第３の部分６８、第３の湾曲部７０および第４の部分７２を含む。
【００２２】
外側ハウジング４４と内側ハウジング４６は、支持部材５０によってラム出口ヘッダ４２に支持され、かつラム出口ヘッダ４２に取り付けられており、支持部材５０は、ラム出口ヘッダ４２と外側ハウジング４４の両方に連結されている。図２Ａ，図２Ｂに示す実施例では、外側ハウジング４４は管形状を有し、近位端部５２から遠位端部５４まで湾曲部／エルボーを含まずに直線状に延びる。近位端部５２は、ベルマウスを含む。外側ハウジング４４と内側バウジング４６は、シートメタルなどの軽量な耐久性材料によって製造可能である。
【００２３】
図２Ａ，図２Ｂに示すように、内側ハウジング４６は、管状の構造を有し、近位端部５６から遠位端部５８まで延びる。内側ハウジング４６の一部は、外側ハウジング４４内に配置され、外側ハウジング４４の対称軸と同じ対称軸に沿って延びる。よって、第２の内側ハウジング４６は、第１の外側ハウジング４４内で同軸に配置された第１の近位部分６０を有する。図示の実施例では、外側ハウジング４４内に配置された部分は、ふた付き近位端部５６、第１の部分および通路４８である。他の実施例では、近位端部５６や第１の部分６０などの内側ハウジング４６の部分は、外側ハウジング４４の近位端部５２を超えて延びてもよい。
【００２４】
内側ハウジング４６は、外側ハウジング４４の遠位端部５４の近傍から延びる中空の管を含む。近位端部５６は、閉じた半球形またはドーム形の端部を有し、直線状の第１の部分６０へと遷移する。通路４８が、第１の部分６０の側面を貫通して設けられ、外側ハウジング４４および内側ハウジング４６の近位端部５２，５６から所定距離だけ引っ込んでいる（ｒｅｃｅｓｓｅｄ）。また、通路４８は、外側ハウジング４４の側壁５３からも引っ込んでいる。後述するように、空気流が方向転換して通路４８を通って内側ハウジング４６に流入するように、通路４８は第１の部分５０の外側面を横切って外側ハウジング４４を通過する空気流の方向からオフセットされている。一実施例では、通路４８は、外側ハウジング４４を通過する空気流に対して実質的に９０°オフセットされるように、第１の部分６０の側面に沿って内側ハウジング４６に設けられている。
【００２５】
近位端部５６および／または５２に対して通路がどの程度引っ込んで設けられるかは、実施例によって異なり、動作条件によって決まる。上述したように、シュラウド付き粒子分離器１６の位置および寸法は変動し、流体力学計算処理ソフトによって決定することができる。よって、通路４８の寸法、形状および数などの幾何学的な設計の詳細は、実施例によって異なる。図示の実施例では、外側ハウジング４４は、約４．０インチ（１０．２ｃｍ）の直径を有し、内側ハウジングは、約２．０インチ（５．１０ｃｍ）の直径を有し、通路４８の幅は、約０．０５〜０．１０インチ（０．１〜０．２ｃｍ）であり、通路４８の近位端部５２からの距離は、約２．６６インチ（６．８ｃｍ）である。
【００２６】
第１の部分６０は、外側ハウジング４４と実質的に一致する対称軸を有する。よって、第１の部分６０の側面は、外側ハウジング４４の側壁５３から所定距離だけ離間して側壁５３に実質的に平行に延びている。直線状の第１の部分６０は、第１の湾曲部６２を介して直線状の第２の部分６４へと遷移する。第１の湾曲部６２は、第１の曲率半径を有する。第１の曲率半径は、第２の湾曲部６６および第３の湾曲部７０の曲率半径と同じでも異なっていてもよい。第１の湾曲部６２は、第２の部分６４に接続される前に外側ハウジング４４を通過する。直線状の第２の部分６４は、第２の湾曲部６６を介して直線状の第３の部分６８に遷移する。第３の部分６８は、ラム出口ヘッダ４２を通過し、第４の部分７２に接続される。直線状の第４の部分７２は、内側ハウジング４６の遠位端部５８で終端となる。
【００２７】
上述したように、遠位端部５８は、従来の手段によって、ラム空気ファン１２（図１参照）の内部部品に清浄な冷却空気ＡCを導くダクト、管または同様の通路（図示省略）に連結可能である。
【００２８】
動作時には、シュラウド付き粒子分離器１６は、図２Ａに示すように、粒子を含む空気流Ａが外側ハウジング４４の近位端部５２に入るために方向転換しなければならないように配置される。近位端部５２におけるベルマウスは、乱流の整流を補助するように機能し、近位端部５２から遠位端部５４まで直線状で曲率半径がない外側ハウジング４４の設計は、外側ハウジング４４を通過する混入粒子が流れる経路を、内側ハウジング４６の第１の部分６０の外側面および外側ハウジング４４の側壁５３の内側に対して直線状にする効果を有する。通路４８に到達すると、粒子を含まない比較的軽い空気流の部分が、第１の部分６０の外面に対して実質的に９０°方向転換して通路４８に流入する十分に低い運動量を有する。一実施例では例えば０．２ミル（５ミクロン）以上の比較的大きい粒子は、直線状の流れ経路から方向転換して通路４８に入るには運動量が大きすぎる。シュラウド付き粒子分離器１６は、このように空気流から粒子を分離するように機能する。分離されて内側ハウジング４６の内部にある冷却空気ＡCは、内側ハウジング４６に沿って運ばれ、適切な手段によってラム空気ファン１２またはＥＣＳ１０の他の部分に供給される。
【００２９】
図３は、内側ハウジング４６の近位端部５６および第１の部分６０を示している。図３に示すように、近位端部５６は閉じている。通路４８は、第１の部分６０を貫通し、近位端部５６から所定距離に設けられている。図示の実施例では、通路４８は、内側ハウジング４６の周辺部の一部にわたって延びるスロットである。これらのスロットは、第１の部分６０に沿って千鳥状のパターンで互いにオフセットされており、各々のスロットは、第１の部分の周辺部に沿った異なる位置で終端となっている。上述したように、これらのスロットの幅は、一実施例では、約０．０５〜０．１０インチ（０．１〜０．２ｃｍ）である。
【００３０】
例示的な実施例を参照して本発明を説明したが、本発明の範囲から逸脱することなく、種々の変更が可能であり、本発明の要素を同等物に置き換えることができることは当業者には理解されよう。例えば、冷却通路４８の寸法、形状および数が変更可能である。内側および外側ハウジング４４，４６の相対的な寸法および形状も変更可能である。シュラウド付き粒子分離器１６は、ＥＣＳ１０の他の構成要素または航空機の他の装置と共に使用することができる。加えて、本発明の本質的な範囲から逸脱することなく、特定の状況や材料を本発明の教示に採用するために多くの改良を行うことができる。よって、本発明は、開示された特定の実施例に限定されるものではなく、添付の請求の範囲内の全ての実施例を含むものである。
【符号の説明】
【００３１】
１６…シュラウド付き粒子分離器
４２…ラム出口ヘッダ
４４…外側ハウジング
４６…内側ハウジング
４８…通路
５０…支持部材
５２…近位端部
５３…側壁
５４…遠位端部
５６…近位端部
５８…遠位端部
６０…第１の部分
６２…第１の湾曲部
６４…第２の部分
６６…第２の湾曲部
６８…第３の部分
７０…第３の湾曲部
７２…第４の部分
【図１】
0005788915.tif 000002
【図２Ａ】
0005788915.tif 000003
【図２Ｂ】
0005788915.tif 000004
【図３】
0005788915.tif 000005